(57)【要約】      （修正有）【課題】夏至や春分、冬至などの季節、及び午前や午後などの時間ごとの太陽の位置を再現して、複数の被照射物に平行光を照射する装置であって、装置が大型とならず持ち運びが可能な日照変化シミュレーターを提供する。【解決手段】日照変化シミュレーター１０は、基板１０と、基板の下部に設けられた基板支持部１４と、基板支持部の接地面側に設けられた基板支持基部１５と、基板に光を照射する照明部２０と、照明部を支持する照明支持部２２と、照明支持部の接地面側に設けられた照明支持基部２１と、を備えている。【選択図】図１
0003228723.tif 000002
【実用新案登録請求の範囲】
【請求項１】
基板と、
前記基板の下部に設けられた基板支持部と、
前記基板支持部の接地面側に設けられた基板支持基部と、
前記基板に光を照射する照明部と、
前記照明部を支持する照明支持部と、
前記照明支持部の接地面側に設けられた照明支持基部と、を備えていることを特徴とする日照変化シミュレーター。
【請求項２】
請求項１に記載の日照変化シミュレーターにおいて、
前記基板と前記基板支持部、または前記基板支持部と前記基板支持基部の少なくとも一方が回転自在に形成されていることを特徴とする日照変化シミュレーター。
【請求項３】
請求項１又は２に記載の日照変化シミュレーターにおいて、
前記照明部を前記照明支持部に保持する照明保持部を備え、
前記照明部は前記照明保持部により前記照明支持部に保持されることを特徴とする日照変化シミュレーター。
【請求項４】
請求項１〜３のいずれか一項に記載の日照変化シミュレーターにおいて、
前記照明支持部は前記照明支持基部から立設して円弧状に上方に延在し、
前記照明部が前記照明支持部に沿って円弧状に移動することを特徴とする日照変化シミュレーター。
【請求項５】
請求項１〜４のいずれか一項に記載の日照変化シミュレーターにおいて、
前記照明部は光を発光する発光部と、
発光部より照射された光を平行光へ変換するレンズ部と、を備えることを特徴とする日照変化シミュレーター。
【請求項６】
請求項１〜5のいずれか一項に記載の日照変化シミュレーターにおいて、
前記基板が円形状に形成され、
前記基板上に方位角目盛が示されており、
前記方位角目盛を指示する方位角指示部を備えることを特徴とする日照変化シミュレーター。
【請求項７】
請求項１〜6のいずれか一項に記載の日照変化シミュレーターにおいて、
前記照明支持部に高度目盛が示され、
前記高度目盛を指示する高度指示部を備えること特徴とする日照変化シミュレーター。
【考案の詳細な説明】
【技術分野】
【０００１】
本考案は、日照変化シミュレーターに関する。
【背景技術】
【０００２】
建築物は日当たりや影の発生状況が大きく問題になる。特に、複数の建築物を建設する場合に、影の発生による日当たりの状況を把握することが非常に重要である。そのため、各季節や時間ごとの太陽光が建築物にどのような影響を与えるかシミュレーションすることが求められている。
【０００３】
その目的のため、日当たりや影の状況を知るための日照変化シュミレーションプログラムがある。しかし、実際のプログラムを組むことに時間と手間がかかるため、日照変化シュミレーションプログラムは納期が長く非常に高額になるという問題がある。また、実際の模型に光を照射して日当たりや影の状況を直接確認したいというニーズが高い。
【０００４】
そこで、建築物に対する日当たりや影の状況を体感できる模型や装置が提案されている。特許文献１に係る発明は、天空ドームの内側に、白色光を照射可能な照射ユニットと、人工太陽が配設され、前記照射ユニットは天空ドームのドーム部分の内側全面に複数配設され、前記人工太陽は駆動装置を介して地平位置から天空中央位置まで上下移動可能に構成され、前記天空ドーム内部の人工地面上に、複数のビルが配置され、前記隣接するビル内部の室内の昼光量の変化を予測・推定することができる住宅の採光変化推測装置が記載されている。
【０００５】
特許文献２に係る発明は、建物等を用いて日影を模造するものであり、光源である人工照明を離れた場所に設定し、この光源に対して建物等を設けた台板を回転装置に載せ、この台板を地上に見立てた場合の緯度方向および経度方向に回転することで光源を黄道にそって移動したと同様の相対的動きを行なわせる装置が記載されている。
【０００６】
特許文献３に係る発明は、ハロゲンランプから光が照射した家屋の模型を観察して家屋の日照角度および日照量が容易に確認できる装置が記載されている。
【先行技術文献】
【特許文献】
【０００７】
【特許文献１】特開平０８-２２０９８０号公報
【特許文献２】特開２０００−６５９５４号公報
【特許文献３】特開２００２−３２０１５号公報
【考案の概要】
【考案が解決しようとする課題】
【０００８】
特許文献１に記載の発明は、非常に大掛かりである。さらに、配設された照射ユニットでは平行光を照射できない。また、夏至や春分、冬至などの季節ごとの太陽の照射を再現することができない。
【０００９】
特許文献２に記載の発明は、遠方からの照射装置により照射するものであり、ある程度広い空間でないと照射ができない。また、平行光を照射できないために影の位置が光源を中心として左右に広がり、実際の太陽光でできる影と異なる。さらに、夏至や春分、冬至などの季節ごとの太陽の照射を再現することができない。
【００１０】
特許文献３に記載の発明は、一つの家屋への照射であり、複数の建物に対して照射することができない。また、夏至や春分、冬至などの季節ごとの太陽の照射を再現することができない。
【００１１】
本考案の目的は前記のような問題点を解消することにあり、夏至や春分、冬至などの季節、及び午前や午後などの時間ごとの太陽の位置を再現して、複数の被照射物に平行光を照射する装置を提供することを目的とする。また、装置が大型とならず持ち運びが可能な装置を提供することを目的とする。
【課題を解決するための手段】
【００１２】
前記の目的を達成するために、本考案に係る日照変化シミュレーターは、基板と、前記基板の下部に設けられた基板支持部と、前記基板支持部の接地面側に設けられた基板支持基部と、前記基板に光を照射する照明部と、前記照明部を支持する照明支持部と、前記照明支持部の接地面側に設けられた照明支持基部と、を備えていることを特徴とする。
【００１３】
また、前記基板と前記基板支持部または前記基板支持部と前記基板支持基部との少なくとも一方が回転自在に形成されていることを特徴とする。
【００１４】
そして、前記照明部を前記照明支持部に保持する照明保持部を備え、前記照明部は前記照明保持部により前記照明支持部に保持されることを特徴とする。
【００１５】
さらに、前記照明支持部は前記照明支持基部から立設して円弧状に上方に延在し、前記照明部が前記照明支持部に沿って円弧状に移動することを特徴とする。
【００１６】
また、前記照明部は光を発光する発光部と、発光部より照射された光を平行光へ変換するレンズ部と、を備えることを特徴とする。
【００１７】
そして、前記基板が円形状に形成され、前記基板上に方位角目盛が示されており、前記方位角目盛を指示する方位角指示部を備えることを特徴とする。
【００１８】
さらに、前記照明支持部に高度目盛が示され、前記高度目盛を指示する高度指示部を備えること特徴とする。
【考案の効果】
【００１９】
本考案によれば、夏至や春分、冬至などの季節、及び午前や午後などの時間ごとの太陽の位置を再現して、複数の被照射物に平行光を照射することができる。また、装置が大型とならず持ち運びが可能となる。その結果、季節と時間の変化に応じて光の当たり具合や影の発生状況などを簡便に把握することが可能となる。また、装置を持ち運んで希望する場所でシミュレーションを行うことが可能となる。
【図面の簡単な説明】
【００２０】
【図１】本考案の実施形態に係わる日照変化シミュレーターの斜視図である。
【図２】本考案の実施形態に係わる日照変化シミュレーターの側面図である。
【図３】本考案の実施形態に係わる日照変化シミュレーターの背面図である。
【図４】本考案の実施形態に係わる基板の上面図である。
【図５】本考案の実施形態に係わる方位角指示部を示す図である。
【図６】本考案の実施形態に係わる照明部の断面図である。
【図７】本考案の実施形態に係わる照明部の春分及び秋分の日の出における位置を示す図である。
【図８】本考案の実施形態に係わる照明部の春分及び秋分の南天における位置を示す図である。
【図９】本考案の実施形態に係わる日照変化シミュレーターを用いて拡散光を被照射物に照射したときの概念図である。
【図１０】本考案の実施形態に係わる日照変化シミュレーターを用いて平行光を被照射物に照射したときの概念図である。
【考案を実施するための形態】
【００２１】
以下に、本考案の実施形態に係る日照変化シミュレーターを図面に基づいて詳しく説明する。
【００２２】
図１は、本考案の実施形態に係る日照変化シミュレーター１０の斜視図である。また、図２は、本考案の実施形態に係る日照変化シミュレーター１０の側面図を、図３は日照変化シミュレーターの背面図を示す。また、図４は基板１２の上面図を示す。
【００２３】
図１〜図3に示すように、日照変化シミュレーター１０は、基板１２と、基板１２を支持する基板支持部１４と、基板支持部１４の接地面側に設けられた基板支持基部１５とを備える。また、照明部２０と、照明部２０を支持する照明支持部２２と、照明支持部２２の接地面側に設けられた照明支持基部２１とを備える。
【００２４】
基板支持部１４はある程度の長さをもって基板１２の下部に設けられており、基板支持部１４により基板１２は適切な高さに支持される。そして、基板支持基部１５は基板支持部１４の接地面側に設けられている。
【００２５】
ここで、基板１２と基板支持部１４、または基板支持部１４と基板支持基部１５の少なくとも一方は回転自在に形成されている。そのため、基板１２は所定の方向に自在に回転することができる。
【００２６】
図４に示すように、基板１２は円形状をしており、上部には被照射物３０を複数乗せることができる。基板には北、東、南、西を示す記号と、北をゼロとして方位角を示す方位角目盛１６が付されている。方位角目盛１６は北を０とし、東を９０、南を１８０、西を２７０と目盛が付されている。
【００２７】
図２に示すように、照明支持部２２は照明支持基部２１から立設し、円弧状に形成されている。そして、照明部２０は、照明支持部２２に沿って上下方向に移動可能となっている。また、照明部２０には照明保持部２４が備えられており、適切な高さに移動した後に照明保持部２４により照明支持部２２に固定され保持される。
【００２８】
照明支持部２２は、少なくとも照明部２０が移動する区間は、基板１２の中心から照明支持部２２までの距離を半径とした円弧状に形成されている。そのため、照明部２０が照明支持部２２を上下に移動しても、照明部２０と基板１２の中心との距離は一定に保たれる。
【００２９】
方位角指示部１８は照明支持基部２１から立設し、基板１２に示された方位角目盛１６を指示できるように基板１２の近くに配設される。そのため、方位角指示部１８に方位角目盛１６を容易に合わせることができる。
【００３０】
図３は日照変化シミュレーターの背面図を示しており、照明支持部２２に高度目盛２６が付されている。高度目盛２６は、基板１２の上面と同じ高さの位置を０とし、基板１２の中心から照明支持部２２までの距離を半径とした円の中心角により目盛りが付される。
【００３１】
高度指示部２８は高度目盛２６を指示することで適切な角度に照明部２０を移動させることができる。そして、照明部２０は、高度保持部２４により照明部２０を適切な高さで固定することができる。
【００３２】
図６は照明部２０の断面図である。照明部２０は発光部３２とレンズ部３４とを備える。発光部３４は光を照射する光源である。このとき、発光部３４より発光される光は拡散光である。発光部３４で発した拡散光はレンズ部へ照射されレンズ部を透過することで平行光に変換される。
【００３３】
レンズ部３４は拡散光を平行光に変換するレンズであり、発光部３２からの光はレンズ部３４を通過することで平行光に変換される。このようなレンズとして、例えばフレネルレンズがある。フレネルレンズとは、通常のレンズを同心円状の領域に分割し厚みを減らしたレンズであり、のこぎり状の断面を持ち、入射した光を平行光へと屈折させることができる。なお、拡散光を平行光へと変換できるのであればフレネルレンズ以外でも使用することができる。
【００３４】
照明部１２は、所定の季節の所定時間における太陽の位置を示す方位角と高度に配置されることで、実際の太陽の位置から照射される太陽光をシミュレーションできる。
【００３５】
本考案の実施形態に係る日照変化シミュレーターは以上のように構成される。ついで、具体的な使用方法について説明を行う。
【００３６】
＜使用方法＞
図７は春分または秋分の日の出における照明部２０の位置を示した図である。照明部２０は、方位角指示部１８が方位角目盛１６の９０を、高度指示部２８が高度目盛２６の０を示す位置に配置される。
【００３７】
図８は春分または秋分のときの南天、すなわち１２時ときの太陽の位置を照明部２０で示した図である。照明部２０は、方位角指示部１８が方位角目盛１６の１８０を、高度指示部２８が高度目盛２６の７９を示す位置に配置される。
【００３８】
以下同様に、各季節の時間ごとの位置に照明部２０を配置することで太陽の実際の動きをシミュレーションできる。
【００３９】
図９は拡散光を用いて基板１２の上においた被照射物に光を照射した時に生じる影の様子を図にしたものである。拡散光を用いて照射すると影が異なった方向に生じる。
【００４０】
図１０は平行光を用いて基板１２の上においた被照射物に光を照射した時に生じる影の様子を図にしたものである。平行光を用いて照射すると影が同じ方向に生じ、実際の太陽光の照射と同じ効果を得ることができる。
【００４１】
なお、本考案は上述した実施の形態に限定されるものではなく、本考案の趣旨を逸脱しない範囲で変更することが可能である。
【００４２】
例えば、基盤の大きさは任意に変更することができる。また、照明支持部２２の支柱は１本とすることや、３本以上とすることができる。また、基板支持部１４がなく、基板１２を直接机等の上に置くこともできる。さらに、方位角指示部１８は円錐形でもよく、それ以外の目盛りを指示する形状でもよい。
【符号の説明】
【００４３】
１０  日照変化シミュレーター
１２  基板
１４  基板支持部
１５  基板支持基部
１６  方位角目盛
１８  方位角指示部
２０  照明部
２１  照明支持基部
２２  照明支持部
２４  照明保持部
２６  高度目盛
２８  高度指示部
３０  被照射物
３２  発光部
３４  レンズ部
【図１】
0003228723.tif 000003
【図２】
0003228723.tif 000004
【図３】
0003228723.tif 000005
【図４】
0003228723.tif 000006
【図５】
0003228723.tif 000007
【図６】
0003228723.tif 000008
【図７】
0003228723.tif 000009
【図８】
0003228723.tif 000010
【図９】
0003228723.tif 000011
【図１０】
0003228723.tif 000012